【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
複数種類の識別情報を可変開始させた後、表示結果を導出表示させる可変表示装置を有し、該可変表示装置の表示結果が予め定められた特定の表示態様となったときに遊技者にとって有利な状態となる遊技機であって、
前記遊技機の遊技状態を制御し、遊技制御基板に搭載された遊技制御手段と、
前記可変表示装置の表示結果を導出表示させる可変表示制御を行ない、表示制御基板に搭載された可変表示制御手段と、
音を発生可能な音発生手段と、
前記音発生手段を制御する音制御基板とを含み、
前記遊技制御手段は、前記可変表示装置の表示結果が導出表示される前に当該表示結果を決定する表示結果決定手段を含み、
前記可変表示制御手段は、前記複数種類の識別情報を可変開始させてから表示結果を導出表示させるまでの間で、前記可変表示装置の表示結果が前記特定の表示態様の組合せとなること、またはリーチが成立することを予告表示し、
前記遊技制御手段は、前記予告表示において表示される第１の予告態様を予め定められた複数種類の中から選択する第１の予告態様選択手段を含み、前記表示結果決定手段の決定結果を示す表示結果指令情報と、前記第１の予告態様選択手段の選択結果および前記可変表示制御を開始してから表示結果を導出表示させるまでの可変表示時間を示す第１予告態様指令情報とを前記可変表示制御手段へ出力するとともに、前記第１の予告態様選択手段の選択結果に対応した音声制御コマンドを前記音制御基板に出力し、
前記音制御基板は、前記音声制御コマンドに基づいて前記第１の予告態様選択手段の選択結果に対応する音を前記音発生手段から発生させる制御を行ない、
前記可変表示制御手段は、前記第１の予告態様選択手段とは別に、該第１の予告態様選択手段が選択した前記第１の予告態様に対応して予め定められた複数種類の中から前記表示結果決定手段の決定結果に応じて異なる割合で前記第１の予告態様選択手段が選択した前記第１の予告態様に関連する第２の予告態様を選択する第２の予告態様選択手段を含み、
前記可変表示制御手段は、前記表示結果指令情報および第１予告態様指令情報に応じて前記可変表示制御を行ない、前記第１の予告態様選択手段により選択された前記第１の予告態様と前記第２の予告態様選択手段により選択された前記第２の予告態様との双方を表示することにより前記可変表示装置の表示結果が前記特定の表示態様の組合せとなること、またはリーチが成立することを予告表示することを特徴とする、遊技機。
【請求項２】
発光体をさらに備え、
前記遊技制御手段は、該発光体を制御する発光体制御手段を含み、
前記遊技制御手段は、前記第１の予告態様選択手段の選択結果に対応させて前記発光体制御手段によって前記発光体を点灯制御することを特徴とする、請求項１に記載の遊技機。
【請求項３】
前記可変表示制御手段は、前記第１の予告態様選択手段により選択された前記第１の予告態様を表示した後に、前記第２の予告態様選択手段により選択された前記第２の予告態様を表示することにより前記予告表示をすることを特徴とする、請求項１または請求項２に記載の遊技機。
【請求項４】
前記第１予告態様指令情報は、前記可変表示制御を開始させるタイミングで、前記可変表示制御手段が読取可能な態様で１回のみ出力されることを特徴とする、請求項１に記載の遊技機。
【手続補正２】
【補正対象書類名】明細書
【補正対象項目名】０００９
【補正方法】変更
【補正の内容】
【０００９】
【課題を解決するための手段】
請求項１に記載の本発明は、複数種類の識別情報を可変開始させた後、表示結果を導出表示させる可変表示装置を有し、該可変表示装置の表示結果が予め定められた特定の表示態様となったときに遊技者にとって有利な状態となる遊技機であって、
前記遊技機の遊技状態を制御し、遊技制御基板に搭載された遊技制御手段と、
前記可変表示装置の表示結果を導出表示させる可変表示制御を行ない、表示制御基板に搭載された可変表示制御手段と、
音を発生可能な音発生手段と、
前記音発生手段を制御する音制御基板とを含み、
前記遊技制御手段は、前記可変表示装置の表示結果が導出表示される前に当該表示結果を決定する表示結果決定手段を含み、
前記可変表示制御手段は、前記複数種類の識別情報を可変開始させてから表示結果を導出表示させるまでの間で、前記可変表示装置の表示結果が前記特定の表示態様の組合せとなること、またはリーチが成立することを予告表示し、
前記遊技制御手段は、前記予告表示において表示される第１の予告態様を予め定められた複数種類の中から選択する第１の予告態様選択手段を含み、前記表示結果決定手段の決定結果を示す表示結果指令情報と、前記第１の予告態様選択手段の選択結果および前記可変表示制御を開始してから表示結果を導出表示させるまでの可変表示時間を示す第１予告態様指令情報とを前記可変表示制御手段へ出力するとともに、前記第１の予告態様選択手段の選択結果に対応した音声制御コマンドを前記音制御基板に出力し、
前記音制御基板は、前記音声制御コマンドに基づいて前記第１の予告態様選択手段の選択結果に対応する音を前記音発生手段から発生させる制御を行ない、
前記可変表示制御手段は、前記第１の予告態様選択手段とは別に、該第１の予告態様選択手段が選択した前記第１の予告態様に対応して予め定められた複数種類の中から前記表示結果決定手段の決定結果に応じて異なる割合で前記第１の予告態様選択手段が選択した前記第１の予告態様に関連する第２の予告態様を選択する第２の予告態様選択手段を含み、
前記可変表示制御手段は、前記表示結果指令情報および第１予告態様指令情報に応じて前記可変表示制御を行ない、前記第１の予告態様選択手段により選択された前記第１の予告態様と前記第２の予告態様選択手段により選択された前記第２の予告態様との双方を表示することにより前記可変表示装置の表示結果が前記特定の表示態様の組合せとなること、またはリーチが成立することを予告表示することを特徴とする。


【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に記載の本発明は、請求項１に記載の発明の構成に加えて、発光体をさらに備え、
前記遊技制御手段は、該発光体を制御する発光体制御手段を含み、
前記遊技制御手段は、前記第１の予告態様選択手段の選択結果に対応させて前記発光体制御手段によって前記発光体を点灯制御することを特徴とする。
請求項３に記載の本発明は、請求項１または請求項２に記載の発明の構成に加えて、前記可変表示制御手段は、前記第１の予告態様選択手段により選択された前記第１の予告態様を表示した後に、前記第２の予告態様を表示することにより前記予告表示をすることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項４に記載の本発明は、請求項１に記載の発明の構成に加えて、前記第１予告態様指令情報は、前記可変表示制御を開始させるタイミングで、前記可変表示制御手段が読取可能な態様で１回のみ出力されることを特徴とする。


【手続補正９】
【補正対象書類名】明細書
【補正対象項目名】００１６
【補正方法】変更
【補正の内容】
【００１６】
【作用】
請求項１に記載の本発明によれば、遊技制御基板に搭載された遊技制御手段の働きにより、遊技機の遊技状態が制御される。表示制御基板に搭載された可変表示制御手段の働きにより、前記可変表示装置の表示結果を導出表示させる可変表示制御が行なわれる。音発生手段の働きにより、音を発生可能となる。音制御基板の働きにより、音発生手段が制御される。遊技制御手段に含まれる表示結果決定手段の働きにより、可変表示装置の表示結果が導出表示される前に表示結果が決定される。さらに、可変表示制御手段の働きにより、複数種類の識別情報を可変開始させてから表示結果を導出表示させるまでの間で、前記可変表示装置の表示結果が前記特定の表示態様の組合せとなること、またはリーチが成立することが予告表示される。前記予告表示において表示される第１の予告態様を予め定められた複数種類の中から選択する第１の予告態様選択手段を含む遊技制御手段の働きにより、前記表示結果決定手段の決定結果を示す表示結果指令情報と、前記第１の予告態様選択手段の選択結果および前記可変表示制御を開始してから表示結果を導出表示させるまでの可変表示時間を示す第１予告態様指令情報とが前記可変表示制御手段へ出力されるとともに、前記第１の予告態様選択手段の選択結果に対応した音声制御コマンドが前記音制御基板に出力される。前記音制御基板の働きにより、前記音声制御コマンドに基づいて前記第１の予告態様選択手段の選択結果に対応する音を前記音発生手段から発生させる制御が行なわれる。前記可変表示制御手段に含まれる第２の予告態様選択手段の働きにより、前記第１の予告態様選択手段とは別に、該第１の予告態様選択手段が選択した前記第１の予告態様に対応して予め定められた複数種類の中から前記表示結果決定手段の決定結果に応じて異なる割合で前記第１の予告態様選択手段が選択した前記第１の予告態様に関連する第２の予告態様が選択される。前記可変表示制御手段の働きにより、前記表示結果指令情報および第１予告態様指令情報に応じて前記可変表示制御が行なわれ、前記第１の予告態様選択手段により選択された前記第１の予告態様と前記第２の予告態様選択手段により選択された前記第２の予告態様との双方が表示されることにより前記可変表示装置の表示結果が前記特定の表示態様の組合せとなること、またはリーチが成立することが予告表示される。


【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
請求項２に記載の本発明によれば、請求項１に記載の発明の作用に加えて、発光体をさらに備え、前記遊技制御手段の働きにより、前記第１の予告態様選択手段の選択結果に対応させて前記遊技制御手段に含まれる前記発光体制御手段によって前記発光体が点灯制御される。
請求項３に記載の本発明によれば、請求項１または請求項２に記載の発明の作用に加えて、前記可変表示制御手段の働きにより、前記第１の予告態様選択手段により選択された前記第１の予告態様が表示された後に、前記第２の予告態様選択手段により選択された前記第２の予告態様を表示することにより前記予告表示がされる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
請求項４に記載の本発明によれば、請求項１に記載の発明の作用に加えて、前記第１予告態様指令情報は、前記可変表示制御を開始させるタイミングで、前記可変表示制御手段が読取可能な態様で１回のみ出力される。


【手続補正１６】
【補正対象書類名】明細書
【補正対象項目名】０２１６
【補正方法】変更
【補正の内容】
【０２１６】
（４）  パチンコ遊技機１により、表示状態が変化可能な可変表示装置を有し、該可変表示装置の表示結果が予め定められた特定の表示態様となった場合に遊技者にとって有利な状態に制御可能となる遊技機が構成されている。たとえば、同一種類の図柄のゾロ目の表示結果により、前記特定の表示態様が構成されている。可変入賞球装置１９を第１の状態する繰返し継続制御が実行されている状態により、前記遊技者にとって有利な状態（特定遊技状態）が構成されている。


【手続補正１７】
【補正対象書類名】明細書
【補正対象項目名】０２２１
【補正方法】変更
【補正の内容】
【０２２１】
（５）  予告１〜予告３として説明したように、前記可変表示装置の表示内容に関する予告とは、前記可変表示装置の表示結果に関する予告（大当り予告）である。


【手続補正１８】
【補正対象書類名】明細書
【補正対象項目名】０２２２
【補正方法】変更
【補正の内容】
【０２２２】
（６）  スピーカ２７により、音を発生可能な音発生手段が構成されている。音声制御基板７０および基本回路５３により、該音発生手段を制御する音制御手段が構成されている。そして、該音制御手段（音声制御基板７０および基本回路５３）は、図１２、図３０に示したように、前記第１の予告内容決定手段の決定に対応する音を前記音発生手段から発生させる制御を行なう。


【手続補正１９】
【補正対象書類名】明細書
【補正対象項目名】０２２３
【補正方法】変更
【補正の内容】
【０２２３】
（７）  飾りＬＥＤ１１１，１１２、飾りランプ１１３〜１１６により、発光体が構成されている。ランプ・ＬＥＤ回路６０および基本回路５３により、該発光体を制御する発光体制御手段が構成されている。そして、該発光体制御手段（ランプ・ＬＥＤ回路６０および基本回路５３）は、図１２、図１３〜図１５、図３０に示したように、前記第１の予告内容決定手段の決定に対応させて前記発光体を点灯制御する。


【手続補正２０】
【補正対象書類名】明細書
【補正対象項目名】０２２４
【補正方法】変更
【補正の内容】
【０２２４】
（８）  遊技制御基板３１により、前記遊技制御手段を搭載した遊技制御基板が構成されている。表示制御基板８０により、前記可変表示制御手段を搭載した表示制御基板が構成されている。図１７のフローチャートのＳ２１により、前記可変表示装置の表示結果が導出表示される前に当該表示結果を決定する表示結果決定手段が構成されている。さらに、前記遊技制御手段は、図３０に示したように、前記表示結果決定手段の決定結果と前記第１の予告内容決定手段の決定結果とを前記可変表示制御手段が特定可能とするために所定の指令情報を出力する。すなわち、確定図柄指定コマンドによって前記表示結果決定手段の決定結果（大当り、はずれなど）が特定可能となり、変動コマンドによって前記第１の予告内容決定手段の決定結果（予告１）が特定可能となる。そして、前記可変表示制御手段（表示制御用ＣＰＵ１０１）は、前記指令情報（変動コマンド、確定図柄指定コマンド）に応じて前記可変表示制御を行なう。


【手続補正２１】
【補正対象書類名】明細書
【補正対象項目名】０２２６
【補正方法】変更
【補正の内容】
【０２２６】
（９）  前記第１の予告内容決定手段の決定結果に基づき出力される指令情報（変動コマンド）は、図７の「表示時間」の欄に示したように、前記可変表示制御を開始してから表示結果を導出表示させるまでの可変表示時間（Ｔ１〜Ｔ６）を特定可能な情報を含む。


【手続補正２２】
【補正対象書類名】明細書
【補正対象項目名】０２２７
【補正方法】変更
【補正の内容】
【０２２７】
（１０）  前記第１の予告内容決定手段の決定結果に基づき出力される指令情報（変動コマンド）は、図３０に示したように、前記可変表示制御を開始させるタイミングで、前記可変表示制御手段が読取可能な態様で１回のみ出力される。


【手続補正２３】
【補正対象書類名】明細書
【補正対象項目名】０２２８
【補正方法】変更
【補正の内容】
【０２２８】
【課題を解決するための手段の具体例の効果】
請求項１に関しては、遊技制御手段側で前記可変表示装置の表示結果が前記特定の表示態様の組合せとなること、またはリーチが成立することについての第１の予告態様が決定される他、可変表示制御手段側でも別途第２の予告態様が決定され、両制御手段の決定に従い可変表示装置に第１予告態様と第２予告態様との双方の予告の表示がなされるために、予告演出を多彩にするべく、予告表示の選択肢を豊富にしたとしてもいずれの予告表示にするかの決定の処理負担を両制御手段で分担でき、遊技制御手段側に過度な負担がかからない。また、予告態様の決定のすべてが可変表示制御手段に委ねられている訳ではなく、遊技制御手段にも分担されていることから、遊技制御手段は、少なくとも自らの決定に関わる予告については、予告表示がなされることを認識できる。このため、その認識している予告の表示と同期させて、遊技制御手段の制御配下にある音発生手段を予告演出のために効果的に動作させることができるようになる。よって、極力遊技制御手段に負担をかけることなく、前記可変表示装置の表示結果が前記特定の表示態様の組合せとなること、またはリーチが成立することについての多彩な予告の演出を効果的にすることが可能となる。さらに、可変表示制御手段は、第１の予告態様選択手段が選択した第１の予告態様に対応して予め定められた複数種類の中から表示結果決定手段の決定結果に応じて異なる割合で第１の予告態様選択手段が選択した前記第１の予告態様に関連する第２の予告態様を選択するために、第２の予告態様によって、前記可変表示装置の表示結果が前記特定の表示態様の組合せとなること、またはリーチが成立することを期待できる期待度を示すことができる。
【手続補正２４】
【補正対象書類名】明細書
【補正対象項目名】０２２９
【補正方法】削除
【補正の内容】
【手続補正２５】
【補正対象書類名】明細書
【補正対象項目名】０２３０
【補正方法】削除
【補正の内容】
【手続補正２６】
【補正対象書類名】明細書
【補正対象項目名】０２３１
【補正方法】変更
【補正の内容】
【０２３１】
請求項２に関しては、請求項１に関する効果に加えて、第１の予告態様選択手段の選択結果に対応して発光体が点灯制御されるために、発光体の点滅と可変表示装置での予告表示との整合性をとることができ、予告を効果的に演出することが可能になる。
請求項３に関しては、請求項１または請求項２に関する効果に加えて、可変表示制御手段の働きにより、第１の予告態様選択手段により選択された第１の予告態様を表示した後に、第２の予告態様選択手段により選択された第２の予告態様を表示することにより予告表示がされる。
【手続補正２７】
【補正対象書類名】明細書
【補正対象項目名】０２３２
【補正方法】削除
【補正の内容】
【手続補正２８】
【補正対象書類名】明細書
【補正対象項目名】０２３３
【補正方法】削除
【補正の内容】
【手続補正２９】
【補正対象書類名】明細書
【補正対象項目名】０２３４
【補正方法】変更
【補正の内容】
【０２３４】
請求項４に関しては、請求項１に関する効果に加えて、第１予告態様指令情報は、可変表示制御を開始させるタイミングで、可変表示制御手段が読取可能な態様で１回のみ出力されるため、所定期間にわたって連続的に同じ指令情報を出力し続ける場合と比較して遊技制御手段の処理負担を軽減できる。